(57)【特許請求の範囲】
【請求項１】
筐体内部に呈示される検査視標を被検眼が覗くための検査窓を持つ視力検査装置において、被検眼に呈示する検査視標が複数形成された透光性を有する視標ディスク板と、前記検査視標を被検眼に呈示するために該視標ディスク板を背後から照明する視標照明光源と、を有するとともに、前記視標ディスク板の視標面は前記検査窓と視標呈示位置とを結ぶ軸線に直行する面に対して前記検査窓から入射し視標面で反射した光が再び検査窓を通過しない角度にて傾斜していることを特徴とする視力検査装置。
【発明の詳細な説明】
【０００１】
【発明の属する技術分野】
本発明は、検査視標を呈示して視力等を検査する視力検査装置に関する。
【０００２】
【従来技術】
被検者が覗く双眼の検査窓を設け、この検査窓を介して筐体内部に配置した検査視標を観察させることにより視力等の視機能を検査するように構成した視力検査装置が知られている。この種の装置としては、筐体内に配置された検査視標を光学的に遠方位置（５ｍ）に置き、その見え具合を検査する通常の視力検査装置の他、夜間視力計と呼ばれるものも知られている。
【０００３】
この夜間視力計は、日中の明るさ相当にした筐体内の空間を検査窓を介して見させることにより被検眼に明順応させた後、筐体内の空間を暗くした状態で視標を呈示し、その視標を視認できるまでの視力回復時間を測定する。
【０００４】
【発明が解決しようとする課題】
しかし、従来の装置では検査窓から筐体内に入った光が視標表面で反射するため、視標形状が見えてしまい、精度の良い検査が行い難いという問題があった。この問題は、特に夜間視力計において大きく、従来装置では明るい部屋での検査時には被検者の頭部を暗幕で覆うなどして対応していたが、これは取り扱いが不便であった。
【０００６】
本発明は、上記従来技術の問題点に鑑み、明るい部屋での検査でも精度良く検査を行える視力検査装置を提供することを技術課題とする。
【０００８】
【課題を解決するための手段】
上記課題を解決するために、本発明は以下のような構成を備えることを特徴とする。
【０００９】
（１）  筐体内部に呈示される検査視標を被検眼が覗くための検査窓を持つ視力検査装置において、被検眼に呈示する検査視標が複数形成された透光性を有する視標ディスク板と、前記検査視標を被検眼に呈示するために該視標ディスク板を背後から照明する視標照明光源と、を有するとともに、前記視標ディスク板の視標面は前記検査窓と視標呈示位置とを結ぶ軸線に直行する面に対して前記検査窓から入射し視標面で反射した光が再び検査窓を通過しない角度にて傾斜していることを特徴とする。
【００１５】
【発明の実施の形態】
本発明の実施の形態を図面に基づいて説明する。図１は本発明に係る夜間視力検査装置の外観を示した図である。
【００１６】
１は装置本体であり、装置本体１の上部には被検者が装置の筐体内部に呈示される視標を覗き込むための双眼の検査窓２（２Ｒ，２Ｌ）が設けられており、装置本体１の側面には各種のスイッチを持つ操作パネル３、プリンタ８が配置されている。また、装置本体１の下部の前側には、本体内部に呈示された視標に対して被検者がその方向を応答するためのジョイスティック（レバー）５、視標を判読できたことを応答する時等に使用するボタン４が設けられている。６は自動検査モード時におけるスタートスイッチ、９は音声ガイドの指示が出力されるスピーカである。
【００１７】
図２は装置内部の配置される光学系を側面から見たときの概略図であり、制御系の構成も共に図示している。また、図３は装置内部の光学系を上部から見たときの概略図である。
【００１８】
左右の検査窓２Ｒ，２Ｌにはそれぞれレンズ１０Ｒ，１０Ｌが配置され、後方の視標窓１５Ｒ，１５Ｌにそれぞれ切替え配置される検査視標が被検眼ＥＲ，ＥＬから見かけ上５ｍの検査距離にされる。左右の光路は中央に仕切り板を持つ筒状の内部カバー１１Ｒ，１１Ｌによって区分けされ、左右眼が視標を見る視野空間が個別に確保されている。この内部カバー１１Ｒ，１１Ｌは共に同一形状で、検査窓２Ｒ，２Ｌのそれぞれの中心軸０１Ｒ，０１Ｌ（レンズ１０Ｒ，１０Ｌのそれぞれの光軸）を中心にして左右の内壁面が対称に形成されており、後方の視標窓１５Ｒ，１５Ｌも同一位置に設けられている。したがって、左右両眼で検査窓２Ｒ，２Ｌを介して内部を観察したときには、左右眼単独で内部を観察したときと同様に、２つの視標窓１５Ｒ，１５Ｌは融像して１つに見えると共に、内部カバー１１Ｒ，１１Ｌも左右の壁が同じ状態で１つの空間として観察される。このため、被検者は光学的に遠方距離（５ｍ）に置かれる検査視標を違和感なく見ることができる。
【００１９】
なお、内部カバー１１Ｒ，１１Ｌの内面にはつや消しの白塗装が施されており、通常の視力検査時や視力回復時間測定のための明順応時には照明ランプ１２Ｒ，１２Ｌの点灯によって共に所定の明るさにされる。照明ランプ１２Ｒ，１２Ｌはその照明光が直接被検眼に入射しない位置に置かれている。また、各視標窓１５Ｒ，１５Ｌの左右には、眩光下視力測定時等に点灯させるランプ１４（車両ヘッドランプ相当の輝度を持つ）がそれぞれ配置されている。眩光下視力測定はランプ１４を点灯することにより、夜間の車の運転時に対向車の前照灯などによる眩しさを受けたときの視力の影響を検査する。
【００２０】
視標窓１５Ｒ，１５Ｌに検査視標を切替え配置する視標呈示部２０は、１枚の視標ディスク板２１と、視標ディスク板２１を回転駆動するためのパルスモータ２２と、視標ディスク板２１上の視標を照明する２つの照明ランプ２４Ｒ，２４Ｌからなる。
【００２１】
視標ディスク板２１は透光性を持つガラス基板からなり、その基板上には視力値０．１〜１．０、１．２、１．５の１２段階でそれぞれ左右上下の４方向のランドルト環視標が遮光性を持つクロムコートにて形成されている。この検査視標は、対となる右眼呈示用と左眼呈示用の同一視標を左右眼に同時に呈示できるように、２つの視標窓１５Ｒ，１５Ｌの位置関係に対応させ形成されている。また、視標ディスク板２１上には検査視標の他、夜間視力検査における明順応時に視標窓１５Ｒ，１５Ｌを遮蔽するための遮蔽板が設けられている。
【００２２】
視標ディスク板２１上の視標はモータ２２の回転により対となる同一のものが視標窓１５Ｒ，１５Ｌに配置され、各視標は照明ランプ２４Ｒ，２４Ｌにより照明される。通常視力測定時は照明ランプ２４Ｒ，２４Ｌの点灯により２５０ｃｄ／ｍ2程度の輝度で検査視標が呈示され、視力回復時間測定時には照明ランプ２４Ｒ，２４Ｌの光量を落とすことにより通常は０．１５ｃｄ／ｍ2程度の薄暗い輝度にされて検査視標が呈示される。
【００２３】
このように視標照明輝度が落とされる検査の場合、検査窓２から入射する光による視標面での反射光が被検眼に届いてしまうと、被検者には視標が見えてしまうことになり、精度の高い検査が行え難くなる。そこで、視標ディスク板２１の視標面は、図４に示すように、検査窓２の中心と視標呈示位置Ｐを結ぶ中心軸線０１に直交する面Ｍに対して角度θで傾斜させて配置し、視標面での反射光が被検眼に届かないようにしている。この傾斜角度θは次のよう定めている。
【００２４】
図４において、検査窓２と同径となる仮想窓２´が検査窓２に重ならない位置を想定する。仮想窓２´の中心と視標呈示位置Ｐとを結ぶ中心軸線０２を考え、この中心軸線０２と中心軸線０１とが視標呈示位置Ｐで成す角度の中間の中心軸線０３を設定する。そして、この中心軸線０３に対して視標呈示位置Ｐで直交するように視標面を配置する。これにより、検査窓２から入射して視標面で反射する光は、再び検査窓２を通過しないので、検査窓２のどの位置から筐体内部を見ても視標面での反射光は見えなくなる。
【００２５】
例えば、検査窓２の直径を２４ｍｍ、検査窓２から視標呈示位置Ｐまでの実距離を２４０ｍｍとすれば、θ＝tan-1（１２／２４０）の計算から、θ＝２．９度程となるので、視標面は面Ｍに対して３度以上傾ければ良い。
【００２６】
なお、本実施形態では左右眼が視標を観察する光路を分離した構成としたが、左右眼で１つの筐体内でその中央に配置した検査視標を覗く形式の装置においても、上記の視標面の傾斜については同様に適用できる。
【００２７】
図２において、３０は装置全体を制御する制御部であり、各ランプ、パルスモータ２２、スピーカ９に接続された音声ガイド発生部３１、応答ボタン４、ジョイスティック５、操作パネル３等の他、検査プログラムを記憶したメモリ３３が接続されている。
【００２８】
次に、以上のような構成を備える装置の動作を説明する。なお、本装置には手動モード、自動モード（音声ガイドに従って被検者がジョイスティック５等を操作することで検査プログラムが進められるモード）、半自動モード（自動モードに対して被検者の口頭による応答内容を検者が入力することにより検査プログラムが進められるモード）の３つの検査モードが用意されており、操作パネル３のモード選択スイッチ４０により何れかを選択することができる。以下では自動モードによる検査を説明する。自動モードは通常視力測定（５ｍ視力測定）、視力回復時間測定（夜間視力検査）、眩光下視力測定が順次進められるようにプログラムされており、測定眼は予めスイッチ部４１により検者が指定をしておく。測定眼は右、左、及び両眼の指定ができる。ここでは両眼が指定されているものとする。
【００２９】
被検者がスタートスイッチ６を押すことにより、まず通常視力測定が開始される。制御部３０は照明ランプ１２Ｒ，１２Ｌを点灯して内部カバー１１Ｒ，１１Ｌの空間を３０ｃｄ／ｍ2の輝度にすると共に、パルスモータ２２の駆動と照明ランプ２４Ｒ，２４Ｌの点灯を制御して、視標窓１５Ｒ，１５Ｌに視力値０．５の視標を呈示する。また、音声ガイドにより視標方向が判別できたら被検者はジョイスティック５をその方向に倒すように指示される。被検者が視標の判別結果をジョイスティック５で応答すると、制御部３０によりその正誤が判定される。応答が正しければ、一段階上げられた視力値の視標が呈示され、誤りであれば一段階下げられた視力値の視標が呈示される。一段階上げて誤答もしくは判別できなくなった場合（判読不能の場合は応答ボタン４を押してもらう）には視力値を見えていた段階まで戻し、さらに視標方向を変えて検査を続ける。制御部３０による正誤の判定により、同一視力視標で２回以上正答があれば、その視力があるものとして視力値が判定される。
【００３０】
続いて視力回復時間測定のプログラムが実行される（図５、図６のフローチャートを参照）。音声ガイドにより、ランプが点灯して３０秒間明るくなる旨がアナウンスされた後、照明ランプ１２Ｒ，１２Ｌが点灯されて被検眼が見る視野空間が照明され、被検眼に明順応させる時間計測が開始される。この間、視標窓１５Ｒ，１５Ｌには視標ディスク板２１に設けられた遮蔽板が置かれる。
【００３１】
明順応時間の終了に近づくと、音声ガイドにより「暗くなった後、視標が見えたら直ぐに輪の切れた方向にレバーを倒して下さい」という旨のアナウンスがされる。明順応時間の終了後、照明ランプ１２Ｒ，１２Ｌが消灯されるとともに視標窓１５Ｒ，１５Ｌには視力値０．２の視標が置かれ、その視標は照明ランプ２４Ｒ，２４Ｌによって０．１５ｃｄ／ｍ2程度の薄暗い輝度で呈示される。制御部３０は視標呈示開始からの時間を計測しており、ジョイスティック５による判読結果の応答入力をチェックする。ここで、６０秒経過しても応答入力がない時（応答が誤りであった場合も同様）、視標輝度が最初の２倍の明るさ（０．３０ｃｄ／ｍ2程度）にアップされる。さらに７０秒経過しても応答入力が無い時は、最初の３倍の明るさ（０．４５ｃｄ／ｍ2程度）に視標輝度がアップされ、８０秒経過後は最初の４倍の視標輝度にアップされる。このように６０秒経過した後は、単に測定終了とする時間を延ばすだけでなく、１０秒経過する毎に順次視標輝度をアップさせていくことにより、最初の視標輝度では応答ができなかった被検者であっても、視標を視認できる可能性が高くなる。９０秒経過したときは測定結果を「９０秒経過」とし、測定が終了される。
【００３２】
ジョイスティック５による応答入力があると、制御部３０によりその正誤が判別される。応答が誤りで、それが１回目のときは（連続して２回誤りでないときは）、呈示する検査視標の方向が変更された後、さらに「輪の切れた方向にレバーを倒して下さい」という旨のアナウンスがされ、測定が継続される。応答が誤りのときは、視標の視認が確実にできていないので、測定結果と扱わないものとする。そして、再び応答入力があり、その応答が２回連続して誤りのときは、自動的に明順応からの再測定が行われる。なお、再測定は１回までとしてあり、再測定を行っても応答が２回連続して誤りの場合には測定が中止され、視力回復時間の測定自体が終了とされる。
【００３３】
ジョイスティック５による応答入力が正答と判定され、それが１回目のときは（連続して２回の正答でないときは）、上記と同様に呈示する検査視標の方向が変更された後、「輪の切れた方向にレバーを倒して下さい」という旨のアナウンスがされる。そして、次の応答入力が再び正答で、かつそれが前の正答の応答から５秒以内であったときは、２回連続した正答となり、被検者は視標が視認できているものと判断できるので、連続した初めの応答時の計測時間が測定結果（視力回復時間）とされる。ここで、前の正答の応答から５秒経過した場合は、前の正答は信頼性が薄いことになるので（つまり、前の応答時に確かに視標が視認できていれば、次の呈示視標の応答は速く行えるはずであるので）、２回連続した正答とせずに前の応答は誤りとして扱い、今回の正答の時間を１回目の正答時間とする。
【００３４】
以上のようにして、２回連続した正答があったときに、その初めの応答時間を視力回復時間とすることにより、測定結果の信頼性を向上することができる。また、１回の誤答では（連続した２回の誤答でないときは）そのまま測定が継続されるので、無用に再測定を行わなくて済む。
【００３５】
視力回復時間の測定が終了すると、次に眩光下視力測定が行われる。音声ガイドにより被検者は視標を注視して呈示視標の方向を応答するように指示された後、視標窓１５Ｒ，１５Ｌの両側のランプ１４が点灯される。視標窓１５Ｒ，１５Ｌには視力値０．５の視標（又は通常視力測定で最終的に判定された視力値を持つ視標）が呈示され、通常視力測定と同様に応答内容の正誤が制御部３０によって判定される。その結果によって次の呈示視標が決定され、同一視力視標で２回以上正答があれば、その視力があるものとして視力値が判定される。
【００３６】
検査が終了すると、プリンタ８から各測定結果、各測定の判定結果、総合指導内容が自動的に印字出力される。
【００３７】
以上、両眼測定を指定した場合を説明したが、例えば、スイッチ部４１により右眼単独の測定を指定した場合、制御部３０はその指定された方の照明ランプ（１２Ｒ、１５Ｒ、１４）を上記のようの点灯制御し、左眼用の照明ランプは消灯したままとする。このように内部に配置された照明ランプの点灯・消灯を制御することで左右眼の切換えが行えるので、従来使用されていた遮蔽板による左右切換え機構（眼前へ遮蔽板を挿入して左右眼を切換える機構）を設けなくて良く、装置を安価に構成することができる。
【００３８】
【発明の効果】
以上説明したように、本発明によれば、明るい部屋での検査でも精度良く検査が行える。
【図面の簡単な説明】
【図１】本発明に係る夜間視力検査装置の外観を示した図である。
【図２】装置内部の配置される光学系を側面から見たときの概略と、制御系の概略を示した図である。
【図３】装置内部の光学系を上部から見たときの概略図である。
【図４】視標面の傾斜角度の決定方法を説明する図である。
【図５】視力回復時間の測定を説明するフローチャートを示した図である。
【図６】視力回復時間の測定を説明するフローチャートを示した図である。
【符号の説明】
２Ｒ，２Ｌ  検査窓
１０Ｒ，１０Ｌ  レンズ
１１Ｒ，１１Ｌ  内部カバー
１５Ｒ，１５Ｌ  視標窓
１２Ｒ，１２Ｌ  照明ランプ
２１  視標ディスク板
２４Ｒ，２４Ｌ  照明ランプ
３０  制御部
【図１】
0003655129.tif 000002
【図２】
0003655129.tif 000003
【図３】
0003655129.tif 000004
【図４】
0003655129.tif 000005
【図５】
0003655129.tif 000006
【図６】
0003655129.tif 000007